(57)【要約】  真理表から不要なキーワードを除去することができる対話サーバを提供することを目的とする。  対話サーバ１００は、文章からなる応答内容に基づいて当該応答内容を特徴付ける一または複数のキーワードを抽出し、一または複数のキーワードのうち、所定条件に基づいた不要なキーワードを除去した一または複数のキーワードを応答内容に対応付けた真理表を生成する真理表生成部１０５と、真理表データベース１０７を記憶する記憶部と、ユーザから入力キーワードを受け付けると、真理表データベース１０７に基づいて対応する応答内容または追加入力を促すためのキーワードを検索して、ユーザに送信する取得部１０２と、を備える。
2019187463.tif 000002
【特許請求の範囲】
【請求項１】
ユーザによる入力に対してユーザの追加入力を促す応答を行い、ユーザの入力に応じた応答内容を提供することで対話を行う対話サーバにおいて、
文章からなる応答内容に基づいて当該応答内容を特徴付ける一または複数のキーワードを抽出し、前記一または複数のキーワードのうち、所定条件に基づいた不要なキーワードを除去した一または複数のキーワードを応答内容に対応付けた真理表を生成する生成部と、
前記真理表を記憶する記憶部と、
ユーザから入力キーワードを受け付けると、前記真理表に基づいて対応する応答内容または追加入力を促すための聞返しキーワードを検索して、前記応答内容または前記聞返しキーワードを前記ユーザに送信する検索部と、
を備える対話サーバ。
【請求項２】
前記生成部は、
前記抽出したキーワードのうち、一または複数のキーワードが除去された前記真理表において各応答内容が一意に判定できる場合には、当該一または複数のキーワードを不要なキーワードとして除去した前記真理表を生成する、
請求項１に記載の対話サーバ。
【請求項３】
前記生成部は、
前記抽出した一または複数のキーワードの重要度に基づいて除去対象か否かを判断して前記真理表を生成する、請求項１または２に記載の対話サーバ。
【請求項４】
前記生成部は、前記抽出された一または複数のキーワードのうち、所定条件に基づいた不要なキーワードに類似する類似キーワードをさらに除去した前記真理表を生成する、請求項１〜３のいずれか一項に記載の対話サーバ。
【請求項５】
ユーザにより入力されたキーワードを履歴情報として記憶する履歴記憶部をさらに備え、
前記生成部は、前記真理表に記述されるキーワードのうち、前記履歴情報に含まれないキーワードを不要なキーワードとして除去した新たな真理表を生成する、
請求項１〜４のいずれか一項に記載の対話サーバ。
【請求項６】
追加入力を促すためのキーワードおよび当該キーワードに対するユーザの意図を、履歴情報として記憶する履歴記憶部をさらに備え、
前記生成部は、前記真理表に記述されるキーワードのうち、前記ユーザの意図が所定条件を満たしたキーワードを不要なキーワードとして除去した新たな真理表を生成する、
請求項１〜５のいずれか一項に記載の対話サーバ。
【請求項７】
前記抽出された一または複数のキーワードから、所定条件に基づいた不要なキーワードの候補となる不要なキーリストを生成するリスト生成部をさらに備え、
前記生成部は、前記不要なキーリストに基づいて前記真理表を生成する、請求項１〜６のいずれか一項に記載の対話サーバ。
【発明の詳細な説明】
【技術分野】
【０００１】
本発明は、入力キーに基づいて検索を行う対話サーバに関する。
【背景技術】
【０００２】
下記特許文献１には、自然文で記述された質問への回答の出力を制御し、顧客の質問の意図に合致しない回答を選択するリスクを回避することや、回答の絞り込みを効率的に処理するための質問回答制御プログラムについての記載がある。具体的にはこの特許文献１には、ＦＡＱ検索を行う際において、所定件数以上である場合には、逆質問または関連質問を行うことにより、該当件数を絞り込むことについての記載がある。
【先行技術文献】
【特許文献】
【０００３】
【特許文献１】特開２０１５−３６９４５号公報
【発明の概要】
【発明が解決しようとする課題】
【０００４】
特許文献１では、よくある質問とその回答の組合せについてツリー構造を定義しておき、ツリー構造を用いて逆質問を選択する処理を行っている。したがって、ツリー構造を定義するためのデータベースを構築する必要があり、大変手間のかかるものである。【０００５】
そのため、質問文とその質問文を構成するキーワードとからなる真理表を生成し、入力キーに基づいて質問文を検索する方法が考えられているが、真理表におけるキーワードによっては、検索を適切に絞り込むことができない場合がある。そのため、真理表から不要なキーワードを除去する必要がある。人手により不要なキーワードを除去することも考えられるが、除去漏れもあり得ることから、自動的に行うことが望まれる。【０００６】
そこで、上述の課題を解決するために、本発明は、真理表から不要なキーワードを除去することができる対話サーバを提供することを目的とする。
【課題を解決するための手段】
【０００７】
本発明の対話サーバは、ユーザによる入力に対してユーザの追加入力を促す応答を行い、ユーザの入力に応じた応答内容を提供することで対話を行う対話サーバにおいて、文章からなる応答内容に基づいて当該応答内容を特徴付ける一または複数のキーワードを抽出し、前記一または複数のキーワードのうち、所定条件に基づいた不要なキーワードを除去した一または複数のキーワードを応答内容に対応付けた真理表を生成する生成部と、前記真理表を記憶する記憶部と、ユーザから入力キーワードを受け付けると、前記真理表に基づいて対応する応答内容または追加入力を促すための聞返しキーワードを検索して、前記応答内容または前記聞返しキーワードを前記ユーザに送信する検索部と、を備える。【０００８】
この発明によれば、不要なキーワードを除去することで、無駄な聞き返しを防止することができ、その対話回数を低減することができる。
【発明の効果】
【０００９】
本発明によれば、無駄な聞き返しを防止することができ、その対話回数を低減することができる。
【図面の簡単な説明】
【００１０】
【図１】本開示の一実施形態の対話サーバ１００の機能構成を示すブロック図である。
【図２】真理表から不要キーを生成する処理を示すフローチャートである。
【図３】品詞または出現頻度に基づいて不要キーリストを生成するときの処理を示すフローチャートである。
【図４】履歴情報データベース１０９に基づいて不要キーリスト１０８を生成するときの処理を示すフローチャートである。
【図５】拡張した不要キーリスト１０８に基づいて、不要キーを真理表データベース１０７から除去するときの処理を示すフローチャートである。
【図６】不要キーリスト生成のための具体的な仕組みを示す概念図である。
【図７】不要キーリストを拡張するときのその処理過程を示す図である。
【図８】本実施形態に係る対話サーバ１００のハードウェア構成の一例を示す図である。
【発明を実施するための形態】
【００１１】
添付図面を参照しながら本開示の一実施形態を説明する。可能な場合には、同一の部分には同一の符号を付して、重複する説明を省略する。
【００１２】
図１は、本開示の一実施形態の対話サーバ１００の機能構成を示すブロック図である。対話サーバ１００は、ユーザ端末２００と通信可能に構成されており、ユーザ端末２００からの問合せに応じた回答を当該ユーザ端末２００に提供するためのＦＡＱシステムである。
【００１３】
対話サーバ１００は、ユーザ端末２００からの問合せであるキーワードに応じてユーザが所望する質問文を決定する前に、いくつかの質問文候補、または質問文候補を絞り込むための聞き返しキー（キーワード）を提供することにより、ユーザが所望する質問文を決定し、その質問文に対応する回答をユーザに提供する。
【００１４】
対話サーバ１００は、受信部１０１、取得部１０２（検索部）、送信部１０３、不要キーリスト生成部１０４、真理表生成部１０５（生成部）、ＦＡＱデータベース１０６、真理表データベース１０７、不要キーリスト１０８、および履歴情報データベース１０９を含んで構成されている。ＦＡＱデータベース１０６、真理表データベース１０７、不要キーリスト１０８、および履歴情報データベース１０９は、記憶部１１０に記憶されている。
【００１５】
受信部１０１は、ユーザ端末２００において入力された問合せのための入力文章を受信する部分である。そのほか、受信部１０１は、送信部１０３が送信した聞き返しキー、質問文候補に対する肯定・否定の意図を示した意図情報を受信する。
【００１６】
取得部１０２は、受信部１０１により受信された入力文章を形態素解析などの公知の自然言語アルゴリズムを使ってキーワード（入力キー）を抽出する部分である。さらに取得部１０２は、真理表データベース１０７を参照して、その入力キーに応じた質問文候補または質問文候補を絞り込むための聞き返しキーを取得し、送信部１０３に受け渡す。
【００１７】
また、取得部１０２は、受信部１０１が聞返しキーに対する意図情報を受信した場合に、その聞返しキーと意図情報に基づいた質問文候補または質問文候補を絞り込むためのさらなる聞返しキーを取得し、送信部１０３に受け渡す。
【００１８】
また、取得部１０２は、入力キーまたは聞き返しキーを履歴情報データベース１０９に登録する。
【００１９】
送信部１０３は、ユーザ端末２００に、質問文候補、または質問文候補を絞り込むための聞き返しキーを送信する。ユーザ端末２００は、質問文候補または聞き返しキーに対する意図情報を送信することにより、徐々に質問文候補を絞り込むことができる。
【００２０】
不要キーリスト生成部１０４は、予め定めたタイミングで、不要キーリストを生成する部分である。このタイミングは、例えば、ＦＡＱシステムの稼働時であったり、履歴情報が所定期、間蓄積された場合、そのほかオペレータの操作時などである。不要キーリストは、取得部１０２が、真理表データベース１０７を参照することにより質問文候補を絞り込むに際して、不要と判断されるキーワードのリストである。
【００２１】
例えば、不要キーリスト生成部１０４は、真理表データベース１０７における一のキーワードを除去した場合でも、他のキーワードを使って質問文を一つに決定できる場合、当該一のキーワードは不要なキーワードとして不要キーリストに登録する。全ての質問文に対して含まれるキーワードは、質問文の絞り込みには寄与しないため、そのようなキーワードは、不要キーリストに登録する。
【００２２】
また、不要キーリスト生成部１０４は、品詞に基づいて不要キーリストを生成してもよい。予め定めた品詞に対応するキーワードを不要キーリストに登録する。代名詞である「この」「これ」などは、不要キーリストに登録される。
【００２３】
また、不要キーリスト生成部１０４は、真理表データベース１０７における出現頻度、またはＴＦ−ＩＤＦなどの重要度に基づいて、不要キーリストを生成してもよい。例えば、出現頻度が高いキーワードは、質問文候補の絞り込みには意味がないと判断でき、そのようなキーワードは、不要キーリストに登録される。また、真理表データベース１０７における、キーワードごとにＴＦ−ＩＤＦを算出し、重要度が低いと判断されるキーワードは、不要キーリストに登録される。
【００２４】
また、不要キーリスト生成部１０４は、履歴情報データベース１０９に記憶されている履歴情報に基づいて不要キーリストを生成してもよい。例えば、不要キーリスト生成部１０４は、聞き返しキーに対してユーザがスキップの意図または否定の意図を示した場合には、聞き返しキーに相当するキーワードを不要キーリストに登録する。なお、スキップの意図とは、聞き返しキーに対する肯定または否定の判断をせずに、つぎの処理（例えばつぎの聞き返しキーの送信）の依頼を示す。また、不要キーリスト生成部１０４は、履歴情報データベース１０９を参照して、質問文にたどり着いた際に、使用されなかったキーワードを、真理表データベース１０７から抽出して、不要キーリストに登録してもよい。
【００２５】
真理表生成部１０５は、ＦＡＱデータベース１０６に記述されている質問文を形態素解析などの言語解析処理を行うことにより、キーワードを取得し、真理表データベース１０７を生成する部分である。また、真理表生成部１０５は、予め定められたタイミングまたはオペレータによる操作に従って、不要キーリスト１０８に記憶されているキーワード（いわゆる不要キー）を、真理表データベース１０７から除去し、不要キーが除去された真理表を生成する部分である。
【００２６】
ＦＡＱデータベース１０６は、キー入力に対する質問文を検索するＦＡＱ処理を行うためのデータベースである。このＦＡＱデータベース１０６は、検索のための一または複数のキーワードと、それらキーワードに対応する質問文（文章）およびその回答とを記述している。
【００２７】
真理表データベース１０７は、検索のための一または複数のキーワードと、それらキーワードに対応する質問文とを記述している。この真理表データベース１０７は、ＦＡＱデータベース１０６の質問文及び回答を形態素解析などの公知の言語解析処理を行うことによって生成されたものである。取得部１０２は、受信部１０１において受信した入力キーまたは聞き返しキーに対応する意図に基づいて、真理表データベース１０７を参照して、対応する質問文または追加の聞き返しキーを取得する。さらに、必要に応じて質問文に対応するＦＡＱデータベース１０６から回答を得る。なお、真理表データベース１０７とＦＡＱデータベース１０６とを合成して一つのデータベースとしてもよい。
【００２８】
不要キーリスト１０８は、不要キーリスト生成部１０４により生成された不要キーを記述する部分である。
【００２９】
履歴情報データベース１０９は、ユーザ端末２００と対話サーバ１００との間のやりとりである履歴情報を記憶する部分である。具体的には、履歴情報データベース１０９は、取得部１０２により取得された入力キーまたは聞き返しキー、並びにそれらキーに対するユーザの意図を記述する。
【００３０】
つぎに、このように構成された対話サーバ１００の処理について説明する。図２は、真理表から不要キーを生成する処理を示すフローチャートである。まず、真理表生成部１０５が、ＦＡＱデータベース１０６に基づいて真理表データベース１０７を生成する（Ｓ１０１）。上述したとおり、真理表生成部１０５は、ＦＡＱデータベース１０６の質問文および回答を形態素解析することにより、検索のための一または複数のキーワードを取得し、それを回答に紐付ける処理を行うことで真理表データベース１０７を生成する。
【００３１】
不要キーリスト生成部１０４は、真理表データベース１０７から不要キーリスト１０８を生成する（Ｓ１０２）。上述したとおり、真理表データベース１０７に記憶されている検索キーワードのうち、除去しても質問文が一意に絞られる検索キーワードは、質問文の絞り込みに寄与しないとして、不要キーリスト１０８に登録される。
【００３２】
真理表生成部１０５は、不要キーリスト生成部１０４により生成された不要キーリスト１０８に記述されている不要キー（キーワード）を真理表データベース１０７から除去する（Ｓ１０３）。以降、取得部１０２は、不要キーが除去された真理表データベース１０７を参照して、ＦＡＱのための処理（質問文候補または聞き返しキーの取得処理）を実行する。
【００３３】
ここで、図６を用いて、不要キーリスト生成のための具体的な仕組みについて説明する。図６（ａ）〜図６（ｅ）は、不要キーを選別するため、キーワードを除去した際の質問文の絞り込みの度合いを判断するための遷移図である。なお、左欄の“重複”欄は、絞り込みが可能か否かを示す欄である。重複欄にＴＲＵＥと記されている質問文は、少なくとも一つの異なるキーワードを含んだ一または複数のキーワードが対応付けられているため、絞り込み可能な状態であることを示す。一方、ＦＡＬＳＥと記述されている質問文は、互いに全く同じキーワードが対応付けられているため、絞り込みが不可の状態であることを示す。
【００３４】
図６（ａ）は、真理表データベース１０７の初期状態である。図６（ｂ）は、初期状態の真理表データベース１０７からキーワード「知る」を削除したときの状態を示す。図６（ｂ）では、各質問文に対して、異なるキーワードの組合せであることから、当該異なるキーワードを用いて各質問文を絞り込むことが可能である。よって、重複欄には全てＴＲＵＥが示される。したがって、キーワード「知る」は、質問文を絞り込むには不要なキーワードであり、不要キーリスト１０８に登録される。
【００３５】
なお、削除するキーワードは、その優先度が低いものから削除されることがよいが、これに限るものではない。図６（ｆ）は、その優先度を示すが、詳細は後述する。
【００３６】
図６（ｃ）は、さらにキーワード「わかる＿否定」を削除したときの状態を示す。なお「わかる＿否定」は、「分からない」を示し、「分かる」の否定型を一般化またはコード化したものである。この状態においても、各質問文に対して、異なるキーワードの組合せであることから、当該異なるキーワードを用いて各質問文を絞り込むことが可能である。よって、重複欄には全てＴＲＵＥが示されている。したがって、キーワード「わかる＿否定」は、不要キーであり、不要キーリスト１０８に登録される。
【００３７】
図６（ｄ）は、さらにキーワード「削除」を削除したときの状態を示す。ここでは、「メールについて知りたい」と「メールを削除したい」とに対して、同じキーワード「メール」が対応付けられている。そして、キーワード「削除」が削除された「メールを削除したい」の質問文の重複欄にＦＡＬＳＥが示され、エラーが示されることになる。したがって、「削除」の削除は、質問文を一意に絞り込むには必要であるキーワードであることから不要キーリスト１０８に登録されない。
【００３８】
図６（ｅ）は、図６（ｃ）の状態からキーワード「送信方法」が削除されたときの状態を示す。ここでも、同様に質問文を一意に絞り込むことができない状態となることから、キーワード「送信方法」は、不要キーリスト１０８に登録されない。
【００３９】
図６（ｆ）は、削除するための順番を示したキーリストである。これは、真理表における出現数に基づいて生成されている。本開示においては、出現数が低いキーワードが、優先度が低いと判断され、優先度の低いキーワードから削除され、不要キーであるか否かが判断される。なお、出現数が低いキーワードから不要キーか否かを判断することに限らず、他の基準に従って削除して不要キーか否かの判断をしてもよい。
【００４０】
このように真理表データベース１０７に基づいて不要キーリストを生成することができる。
【００４１】
つぎに、ＦＡＱデータベース（質問文）を参照して、そこから品詞または出現頻度等に基づいて不要なキーワードを取得するときの処理について説明する。図３は、品詞または出現頻度に基づいて不要キーリストを生成するときの処理を示すフローチャートである。
【００４２】
不要キーリスト生成部１０４は、ＦＡＱデータベース１０６を参照して（Ｓ２０１）、品詞および出現頻度に基づいて不要キーであるキーワードを取得する（Ｓ２０２）。不要キーリスト生成部１０４は、取得した不要キーから不要キーリスト１０８を生成する（Ｓ２０３）。
【００４３】
真理表生成部１０５は、不要キーリスト１０８のキーワードを真理表データベース１０７から除去する（Ｓ２０４）。
【００４４】
このように、ＦＡＱデータベース１０６に記憶されているキーワードの品詞および出現頻度に基づいて不要キーを判断することで、代名詞など、検索に利用することがないキーワードを真理表データベース１０７から除去することができる。なお、どの品詞が不要とするかは事前に定めておく。例えば、不要キーリスト生成部１０４は、代名詞は不要であることの情報を記憶している。
【００４５】
つぎに、履歴情報データベース１０９に基づいて不要キーリスト１０８を生成するときの処理について説明する。図４は、そのときの処理を示すフローチャートである。この履歴情報を用いた不要キーリスト１０８の生成は、所定期間または所定回数、ＦＡＱ検索を行った後に行われる。よって、ここでは真理表データベース１０７は、履歴情報に基づいて作り直される。
【００４６】
不要キーリスト生成部１０４は、履歴情報データベース１０９を参照して（Ｓ３０１）、履歴情報に基づいて不要なキーワードを取得する（Ｓ３０２）。例えば、聞き返しキーに対して、スキップをした場合、その聞き返しキーに相当するキーワードを不要なキーワードとする。また、検索の結果、使用されなかったキーワードを不要なキーワードとしてもよい。不要キーリスト生成部１０４は、取得したキーワードに基づいて不要キーリスト１０８を生成する（Ｓ３０３）。
【００４７】
真理表生成部１０５は、不要キーリスト１０８に記述されているキーワードを真理表データベース１０７から除去する（Ｓ３０４）。以降、取得部１０２は、真理表データベース１０７に基づいたＦＡＱの処理を行う。
【００４８】
このように履歴情報データベース１０９に基づいて不要キーを判断することで、実際に検索に利用することがないキーワードを真理表データベース１０７から除去することができる。
【００４９】
つぎに、拡張した不要キーリスト１０８に基づいて、不要キーを真理表データベース１０７から除去するときの処理について説明する。図５は、その処理を示すフローチャートである。図５の処理は、図２〜図４における不要キーリスト生成処理に適用可能である。
【００５０】
不要キーリスト生成部１０４は、図２〜図４に示される処理に従って不要キーリスト１０８を生成する。すなわち、履歴情報、真理表データベース１０７、品詞・出現頻度等に基づいて、不要キーリスト１０８を生成する。さらに、不要キーリスト生成部１０４は、不要キーリスト１０８の各不要キーに類似するキーワードを生成する（Ｓ４０１）。例えば、不要キーリスト生成部１０４は、不要キーに類似するキーワードを生成するにあたって、Ｗ２Ｖ（Word 2 Vector）という言語解析アルゴリズムを用いる。不要キーリスト生成部１０４は、不要キーをベクトル化して、そのベクトルに近しい他のキーワードを類似するキーワードとして取得する。類似するキーワードの取得元は、一般的な文献、ウェブ、そのほか文章が記述されているデータベースである。
【００５１】
不要キーリスト生成部１０４は、類似のキーワードを不要キーリスト１０８に登録する（Ｓ４０２）。
【００５２】
このように、不要キーに類似のキーワードも除去対象となり、拡張した不要キーリスト１０８を生成することができる。
【００５３】
図７は、不要キーリストを拡張するときのその処理過程を示す図である。まず、不要キーリスト生成部１０４は、ＦＡＱデータベース１０６から、各キーワードの出現頻度を取得する（処理Ｐ１）。そして、所定頻度以上のキーワードまたは頻度数が上位のキーワードのキーワード群Ｋ１を抽出する。このキーワード群Ｋ１に対して、類似キーワードを抽出するための処理Ｐ２を行う。この処理Ｐ２は、例えばＷ２Ｖ（Word 2 Vector）である。これによりキーワード群Ｋ１の各キーワードに類似するキーワード群Ｋｒを抽出する。図７において、例えば、キーワード「する」に対して、その類似キーワード「やる」「行う」を取得する。
【００５４】
このように類似キーワードを取得して不要キーリスト１０８に追加することで、不要キーリストの拡張を行うことができる。すなわち、不要なキーワードに類似のキーワードは、やはり不要なキーワードであるため、そのような不要なキーワードは不要キーリスト１０８に追加することがよいが、これに限るものではない。
【００５５】
つぎに、本開示の一実施形態の対話サーバ１００の作用効果について説明する。本実施形態の対話サーバ１００は、ユーザによる入力に対してユーザの追加入力を促す応答である聞返しキーの送信を行い、ユーザの入力に応じた応答内容である質問文を提供することで対話を行う装置である。
【００５６】
この対話サーバ１００は、ＦＡＱデータベース１０６に記述されている質問文（文章からなる応答内容）に基づいて当該質問文を特徴付ける一または複数のキーワードを抽出し、一または複数のキーワードのうち、所定条件に基づいた不要なキーワードを除去した一または複数のキーワードを質問文に対応付けた真理表を生成する真理表生成部１０５と、真理表データベース１０７を記憶する記憶部と、ユーザから入力キーワードを受け付けると、真理表データベース１０７に基づいて対応する質問文または追加入力を促すための聞返しキーワードを検索する取得部１０２、当該質問文または聞返しキーワードをユーザに送信する送信部１０３と、を備える。
【００５７】
この対話サーバ１００によると、不要なキーワードを除去することで、無駄な聞き返しを防止し、対話回数を低減することができる。例えば、不要なキーワードとして、検索してもその検索結果を絞り込むことができないキーワードである。このようなキーワードが真理表に含まれている場合、それに基づいて聞き返し処理を行うことがあり得るが、このキーワードで聞き返しをしても検索結果を絞り込むことができない。したがって、このような不要なキーワードを真理表データベース１０７から除去することにより対話回数の削減を図る。また、対話サーバ１００の処理効率を向上させることができる、という効果を奏する。すなわち、不必要に対話を継続することがなくなるため、対話サーバ１００の処理負荷を低減し、よって、その対話のための処理効率を向上させることができる。また、不要なキーワードを記憶しないことからメモリの使用効率を向上させることができる。
【００５８】
また、本実施形態の対話サーバ１００において、真理表生成部１０５は、抽出したキーワードのうち、一または複数のキーワードが除去された真理表データベース１０７において各質問文（応答内容）が一意に判定できる場合には、当該キーワードは不要なキーワードとして除去した真理表データベース１０７を生成する。
【００５９】
この対話サーバ１００によると、除去しても一意に質問文（応答内容）を判定できるものは、不要キーとすることで、無駄な聞き返しを防止し、対話回数を低減することができる。
【００６０】
また、本実施形態の対話サーバ１００において、真理表生成部１０５は、抽出した一または複数のキーワードの重要度に基づいて除去対象か否かを判断して真理表データベース１０７を生成する。
【００６１】
この対話サーバ１００によれば、キーワードの重要度に応じて真理表データベース１０７を生成する。例えば品詞、およびＦＡＱまたは真理表における出現頻度またはＴＦ−ＩＤＦなどに基づいて、真理表データベース１０７を生成することで、無駄な聞き返しを防止し、対話回数を少なくする。
【００６２】
また、本実施形態の対話サーバ１００において、真理表生成部１０５は、抽出された一または複数のキーワードのうち、所定条件に基づいた不要なキーワードに類似するキーワードを除去した真理表データベース１０７を生成する。
【００６３】
この対話サーバ１００によれば、類似したキーワードも不要キーとして除去した真理表データベース１０７を生成することができる。よって、無駄な聞き返しを防止し、対話回数の低減に寄与する。
【００６４】
また、本実施形態の対話サーバ１００は、ユーザにより入力されたキーワードを履歴情報として記述する履歴情報データベース１０９をさらに備え、真理表生成部１０５は、真理表データベース１０７に記述されるキーワードのうち、履歴情報に含まれないキーワードを不要キーとして除去した新たな真理表データベース１０７を生成する。
【００６５】
この対話サーバ１００によれば、履歴情報に基づいて不要キーを除去することで、真理表データベース１０７の精度を向上させることができる。すなわち、ＦＡＱ検索に使用されなかったキーワードは不要なキーワードであると判断できる。よって、その不要なキーワードを除去することで、無駄な聞き返しを防止し、対話回数を低減できる。
【００６６】
また、本実施形態の対話サーバ１００は、追加入力を促すための聞返しキーワードおよび当該聞返しキーワードに対するユーザの意図を、履歴情報として記憶する履歴記憶部をさらに備え、真理表生成部１０５は、ユーザの意図が所定条件を満たした聞返しキーワードを不要キーとして除去した真理表を生成する。
【００６７】
この対話サーバ１００によれば、履歴情報に基づいて不要キーを除去することで、真理表の精度を向上させることができる。よって、無駄な聞き返しを防止し、対話回数を低減できる。
【００６８】
また、本実施形態の対話サーバ１００は、一または複数のキーワードから、所定条件に基づいた不要なキーワードの候補となる不要キーリストを生成する不要キーリスト生成部１０４をさらに備える。この不要キーリスト生成部１０４は、不要キーリストに基づいて真理表データベース１０７を生成する。
【００６９】
この対話サーバ１００によれば、不要キーリストを生成することで、キーワードの除去を容易にすることができる。また、不要キーリストに基づいて類似キーワードを含むように拡張することを容易にする。
【００７０】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に (例えば、有線及び／又は無線)で接続し、これら複数の装置により実現されてもよい。
【００７１】
例えば、本発明の一実施の形態における対話サーバ１００は、本実施形態の対話サーバ１００の処理を行うコンピュータとして機能してもよい。図８は、本実施形態に係る対話サーバ１００のハードウェア構成の一例を示す図である。上述の対話サーバ１００は、物理的には、プロセッサ１００１、メモリ１００２、ストレージ１００３、通信装置１００４、入力装置１００５、出力装置１００６、バス１００７などを含むコンピュータ装置として構成されてもよい。
【００７２】
なお、以下の説明では、「装置」という文言は、回路、デバイス、ユニットなどに読み替えることができる。対話サーバ１００のハードウェア構成は、図に示した各装置を１つ又は複数含むように構成されてもよいし、一部の装置を含まずに構成されてもよい。
【００７３】
対話サーバ１００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００７４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の不要キーリスト生成部１０４、真理表生成部１０５などは、プロセッサ１００１で実現されてもよい。
【００７５】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、対話サーバ１００は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００７７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の受信部１０１および送信部１０３などは、通信装置１００４で実現されてもよい。
【００７９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８０】
また、プロセッサ１００１やメモリ１００２などの各装置は、情報を通信するためのバス１００７で接続される。バス１００７は、単一のバスで構成されてもよいし、装置間で異なるバスで構成されてもよい。
【００８１】
また、対話サーバ１００は、マイクロプロセッサ、デジタル信号プロセッサ（ＤＳＰ： Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８２】
以上、本開示の一実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００８３】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００８４】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８６】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８７】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８８】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００９１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９２】
なお、本明細書で説明した用語及び／又は本明細書の理解に必要な用語については、同一の又は類似する意味を有する用語と置き換えてもよい。
【００９３】
本明細書で使用する「システム」および「ネットワーク」という用語は、互換的に使用される。
【００９４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９５】
ユーザ端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９６】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９９】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１００】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【０１０１】
本明細書において、文脈または技術的に明らかに1つのみしか存在しない装置である場合以外は、複数の装置をも含むものとする。
【符号の説明】
【０１０２】
１００…対話サーバ、１０１…受信部、１０２…取得部、１０３…送信部、１０４…不要キーリスト生成部、１０５…真理表生成部、１０６…ＦＡＱデータベース、１０７…真理表データベース、１０８…不要キーリスト、１０９…履歴情報データベース、１１０…記憶部、２００…ユーザ端末。
【図１】
2019187463.tif 000003
【図２】
2019187463.tif 000004
【図３】
2019187463.tif 000005
【図４】
2019187463.tif 000006
【図５】
2019187463.tif 000007
【図６】
2019187463.tif 000008
【図７】
2019187463.tif 000009
【図８】
2019187463.tif 000010
【国際調査報告】
2019187463.tif 000011
2019187463.tif 000012
2019187463.tif 000013
2019187463.tif 000014